(57)【特許請求の範囲】
【請求項１】
原稿が載置されるコンタクトガラスを上面に有し、画像形成装置本体の本体フレームの上側に固定されるスキャナ筐体と、該スキャナ筐体内に収容され、上記コンタクトガラス上の原稿の画像を光学的に読取る画像読取部と、上記スキャナ筐体の上面を開閉可能に覆う原稿押さえ部材と、上記スキャナ筐体に対して上下方向に移動可能に構成された脚部と、該脚部の上端に固定された静止部と、該静止部に対してヒンジ軸を介して回動可能に連結され、上記原稿押さえ部材を支持する回動部と、該回動部と上記静止部との間に介在して、上記原稿押さえ部材に対し開方向の付勢力を付与することで該原稿押さえ部材の開放角度を任意の角度に保持する保持機構と、を備えた画像読取装置であって、
上記スキャナ筐体には、上下方向に延びる貫通孔が形成され、
上下方向に延び、上記貫通孔内を貫通すると共に下端部が上記本体フレームに固定された筒部をさらに備え、
上記脚部は、上記筒部の上端開口から該筒部内に挿入されて上記原稿押さえ部材の自重により該筒部内において該原稿押さえ部材側に傾くように構成され、
上記貫通孔は、その内側面が上記筒部の外側面に対して非接触となるように形成されている、画像読取装置。
【請求項２】
請求項１記載の画像読取装置において、
上記スキャナ筐体の下面における上記貫通孔に隣接する部分には係合部が設けられ、
上記本体フレームには、上記係合部に係合する被係合部が設けられている、画像読取装置。
【請求項３】
請求項２記載の画像読取装置において、
上記筒部は、上下方向に延びる筒部本体と、該筒部本体の下端部に接続された固定座部と、を有し、
上記固定座部は、金属製の固定ブラケットを介して上記本体フレームに固定されており、
上記被係合部は、上記固定ブラケットに形成された位置決め孔であり、上記係合部は、上記スキャナ筐体の下面から突出する突出ボス部である、画像読取装置。
【請求項４】
請求項２記載の画像読取装置において、
上記スキャナ筐体は樹脂材からなり、上記筒部は金属材料からなる、画像読取装置。
【請求項５】
請求項１乃至４のいずれか一項に記載の画像読取装置において、
上記脚部が挿入される上記筒部の数は２つである、画像読取装置。
【請求項６】
請求項１乃至５のいずれか一項に記載の画像読取装置と、
上記画像形成装置本体内に収容され、上記画像読取装置により読取った原稿の画像を用紙に印刷する画像形成部とを備えた画像形成装置。
【発明の詳細な説明】
【技術分野】
【０００１】
本発明は、画像読取装置及び該画像読取装置を備えた画像形成装置に関する。
【背景技術】
【０００２】
従来より、複写機等の画像形成装置に搭載される画像読取装置として、原稿が載置されるコンタクトガラスを上面に有するスキャナ筐体と、スキャナ筐体内に収容され、コンタクトガラス上の原稿の画像を読取る画像読取部と、コンタクトガラス上の原稿を押さえるための原稿押さえ部材とを備えたものが知られている。上記原稿押さえ部材の後端部には回動金具が取付けられている。回動金具はヒンジ軸を介して静止金具に連結されている。静止金具は、上下方向に延びる脚部の上端部に固定されている。該脚部は、スキャナ筐体上面の後端部に形成された支持孔に挿入されている（例えば、特許文献１参照）。そして、上記脚部が上記支持孔内を上下方向にスライドすることで原稿の厚さの大小に対応可能になっている。この支持孔の側壁は、例えばスキャナ筐体と一体成形された筒部により形成されている。
【０００３】
上記画像読取装置はさらに、原稿押さえ部材の開放角度を任意の角度に保持する保持機構を備えている。この保持機構は、回動金具と静止金具との間に配設された圧縮バネと、該圧縮バネを保持するリテーナ−と、静止金具に支持されてリテーナ−の傾斜面に当接する当接軸とを備えている。原稿押さえ部材の開放角度が所定範囲内にある場合には、この圧縮バネの付勢力により原稿押さえ部材が開き側に付勢され、原稿押さえ部材の自重と圧縮バネの付勢力とがバランスする。この結果、原稿押さえ部材が任意の開放角度に保持される。
【０００４】
上記画像読取装置では、原稿押さえ部材が閉じる際の衝撃音を緩和するべく種々の技術が提案されている。これら種々の技術のうちの一つとして、支持孔の内径を脚部の外径に比べて大きくとることが挙げられる。これにより、該脚部を支持孔内において原稿押さえ部材側に傾けて突っ張らせることができるので、原稿押さえ部材の閉じ際の速度が抑制される。
【先行技術文献】
【特許文献】
【０００５】
【特許文献１】特開２００２−１４４９６号公報
【発明の概要】
【発明が解決しようとする課題】
【０００６】
しかしながら、上述のように脚部を支持孔内で突っ張らせる方法では、脚部と支持孔の内壁面との当接部に、原稿押さえ部材の自重を支えるだけの大荷重が作用してしまう。このため、支持孔の内壁面を形成する筒部が変形したり破損したりする虞がある。これに対して、筒部の厚みを大きくとってその剛性を向上させることが考えられる。しかし、この場合、筒部の厚みの増加に伴い材料コストが増加するという問題がある。
【０００７】
本発明は、かかる点に鑑みてなされたものであり、その目的とするところは、原稿押さえ部材と共に上下方向にスライドする脚部からの荷重に起因する構成部品の破損及び変形を防止しつつ、原稿さえ部材の閉じ際の速度を十分に抑制しようとすることにある。
【課題を解決するための手段】
【０００８】
本発明に係る画像読取装置は、原稿が載置されるコンタクトガラスを上面に有し、画像形成装置本体の本体フレームの上側に固定されるスキャナ筐体と、該スキャナ筐体内に収容され、上記コンタクトガラス上の原稿の画像を光学的に読取る画像読取部と、上記スキャナ筐体の上面を開閉可能に覆う原稿押さえ部材と、上記スキャナ筐体に対して上下方向に移動可能に構成された脚部と、該脚部の上端に固定された静止部と、該静止部に対してヒンジ軸を介して回動可能に連結され、上記原稿押さえ部材を支持する回動部と、該回動部と上記静止部との間に介在して、上記原稿押さえ部材に対し開方向の付勢力を付与することで該原稿押さえ部材の開放角度を任意の角度に保持する保持機構と、を備えている。
【０００９】
そして、上記スキャナ筐体には、上下方向に延びる貫通孔が形成され、上下方向に延び、上記貫通孔内を貫通すると共に下端部が上記本体フレームに固定された筒部をさらに備え、上記脚部は、上記筒部の上端開口から該筒部内に挿入されて上記原稿押さえ部材の自重により該筒部内において該原稿押さえ部材側に傾くように構成され、上記貫通孔は、その内側面が上記筒部の外側面に対して非接触となるように形成されている。
【００１０】
この構成によれば、原稿押さえ部材を支持する回動部が静止部に支持されたヒンジ軸回りに回動させることで、筐体の上面を原稿押さえ部材により開閉することができる。上記静止部は上下方向に延びる脚部の上端に固定されており、この脚部は上下方向に延びる筒部の上端開口に挿入されて上下方向に移動可能になっている。これにより、ユーザーは、原稿押さえ部材をこの脚部と共に上下方向に移動させることで原稿の大小に対応可能になっている。また、上記保持機構により原稿押さえ部材に対し開方向の付勢力が付与されるので、ユーザーは原稿を任意の角度に保持することができる。原稿押さえ部材を閉じる際には、上記脚部が上記筒部内で原稿押さえ部材側に傾いて突っ張ることで、原稿押さえ部材の閉じ速度を十分に減衰することができる。そして上記構成によれば、この筒部が画像形成装置本体の本体フレームに固定されているので、例えば筒部を筐体の側面に固定したり筐体と一体形成したりした場合に比べて筒部の剛性を格段に高めることができる。よって、脚部が筒部内で突っ張った際に、筒部が脚部からの荷重により変形したり破損したりするのを防止することができる。
【００１１】
しかも、上記構成によれば上記筒部の外側面と該筒部が貫通する貫通孔の内側面は非接触状態にある。したがって、脚部からの荷重により筒部が変形したとして、筒部が貫通孔の内側面に接触するほど変形しない限り脚部からの荷重が貫通孔の内側面（スキャナー筐体の一部）に伝わることもない。よって、脚部からの荷重によりスキャナ筐体が変形したり破損したりするのを確実に防止することができる。
【００１２】
上記スキャナ筐体の下面における上記貫通孔に隣接する部分には係合部が設けられ、上記本体フレームには、上記係合部に係合する被係合部が設けられていることが好ましい。
【００１３】
この構成によれば、上記スキャナ筐体の下面に設けられた係合部と本体フレームに設けられた被係合部とが係合することによりスキャナ筐体の位置決めがなされる。しかも上記係合部は、上記スキャナ筐体の貫通孔に隣接する部分に形成されているので、スキャナ筐体に形成された貫通孔の位置精度を可及的に高めることができる。したがって、筒部の外側面と貫通孔の内側面との間のクリアランスを精度良く管理することができる。よって、筒部が脚部からの荷重により変形した際に筒部の外側面が貫通孔の内側面に接触するのを防止することができる。
【００１４】
上記筒部は、上下方向に延びる筒部本体と、該筒部本体の下端部に接続された固定座部と、を有し、上記固定座部は、金属製の固定ブラケットを介して上記本体フレームに固定されており、上記被係合部は、上記金属製ブラケットに形成された位置決め孔であり、上記係合部は、上記スキャナ筐体の下面から突出する突出ボス部であることが好ましい。
【００１５】
この構成によれば、本体部レームに対して筒部を直接固定するのではなく金属製の固定ブラケットを介して固定するようにしている。そして、この金属製ブラケットに被係合部としての位置決め孔を形成するようにしたので、比較的剛性の高い本体フレームに位置決め孔を形成する場合に比べて、位置決め孔を精度良く且つ安価に形成することができる。
【００１６】
上記スキャナ筐体は樹脂材からなり、上記筒部は金属材料からなることが好ましい。
【００１７】
スキャナ筐体が樹脂材で構成されている場合には、貫通孔の内側面（スキャナ筐体の一部）がクリープ変形し易い。したがって、かかる構成の画像読取装置に対して本発明は特に有用である。そして、筒部を金属材料で構成することにより筒部の剛性を可及的に高めて、延いては、脚部からの荷重により筒部が変形して貫通孔の内側面に接触するのを防止することができる。
【００１８】
上記脚部が挿入される上記筒部の数は２つであることが好ましい。
【００１９】
この構成によれば、上記筒部が２つ設けられているので、筒部が１つの場合に比べて本体フレームに対するスキャナ筐体の位置決めを容易に且つ精度良く行うことができる。
【００２０】
本発明に係る画像形成装置は、上記画像読取装置と、上記画像形成装置本体内に収容され、上記画像読取装置により読取った原稿の画像を用紙に印刷する画像形成部とを備えている。
【００２１】
この構成によれば、原稿押さえ部材と共に上下方向にスライドする脚部からの荷重に起因する構成部品の破損及び変形を防止しすることができる。また、原稿さえ部材の閉じ際の速度を十分に抑制し、延いては、原稿押さえ部材の閉じ際の衝撃音に起因するユーザーの不快感を低減することができる。
【発明の効果】
【００２２】
本発明によれば、原稿押さえ部材と共に上下方向にスライドする脚部からの荷重に起因する構成部品の破損及び変形を防止しつつ、原稿さえ部材の閉じ際の速度を十分に抑制可能な画像読取装置及び画像形成装置が安価に提供される。
【図面の簡単な説明】
【００２３】
【図１】図１は、実施形態における画像読取装置を備えた画像形成装置を示す概略の断面図である。
【図２】図２は、画像形成装置の分解斜視図である。
【図３】図３は、ヒンジ機構を示す側面図である。
【図４】図４は、図３のIV方向矢視図である。
【図５】図５は、回動部を開方向に回動させた状態を示すヒンジ機構の側面図である。
【図６】図６は、一対の筒部が固定された本体フレームを上側から見た平面図である。
【図７】図７は、一方の筒部及びその周辺を拡大して示す拡大斜視図である。
【図８】図８は、スキャナ筐体を下側から見た平面図である。
【図９】図９は、画像形成装置から原稿カバーを取り外した状態でスキャナ筐体の貫通孔の周辺を拡大して示す平面図である。
【図１０】図１０は、原稿押さえ部材の自重により筒部内において脚部が傾いた状態を示すヒンジ機構の側面図である。
【発明を実施するための形態】
【００２４】
以下、本発明の実施形態を図面に基づいて詳細に説明する。尚、本発明は、以下の実施形態に限定されるものではない。
【００２５】
《実施形態》
図１は、実施形態における画像読取装置としての複合機Ｘを示している。この複合機Ｘは、画像形成装置本体１と、該画像形成装置本体１の上側を覆うようにその上端部に固定された画像読取装置２とを有している。複合機Ｘは、画像読取装置２で読み取られた画像データ、又は外部のパーソナルコンピュータ等の情報処理装置から入力された画像データに基づいて用紙に画像を形成する電子写真方式の画像形成装置として機能する。図１では、図を見易くするために画像読取装置２の高さ方向の寸法を実際よりも大きく描いている。以下の説明において、特に断らない限り、左側、右側は、複合機Ｘを前側（図１の紙面垂直方向の手前側）から見たときの左側、右側を意味し、前側、後側は、複合機Ｘの前側、後側を意味する。
【００２６】
上記画像形成装置本体１は、画像形成部３と画像形成部３を内部に収容するハウジング４とを有している。画像形成部３は、給紙カセット３０、感光体ドラム３１、帯電装置３２、現像装置３３、トナーコンテナ３４、転写ローラー３５、除電装置３６、定着ローラー３７、加圧ローラー３８を有している。画像形成部３は、画像形成装置本体１内に収容されている。画像形成装置本体１の側面には排紙トレイ３９が装着されている。
【００２７】
画像形成装置本体１では、上記給紙カセット３０から供給される用紙に以下の手順で画像が形成される。具体的には、先ず帯電装置３２によって上記感光体ドラム３１が所定の電位に一様に帯電される。次に、不図示のレーザースキャナーユニット（ＬＳＵ）により上記感光体ドラム３１の表面に画像データに基づく光が照射される。これにより、感光体ドラム３１の表面に静電潜像が形成される。そして、上記感光体ドラム３１上の静電潜像は上記現像装置３３によってトナー像として現像される。尚、現像装置３３には、上記トナーコンテナ３４からトナーが補給される。続いて、上記感光体ドラム３１に形成されたトナー像は上記転写ローラー３５によって用紙に転写される。その後、用紙に転写されたトナー像は、その用紙が上記定着ローラー３７及び上記加圧ローラー３８の間を通過する際に上記定着ローラー３７で加熱されて溶融定着する。尚、上記感光体ドラム３１の電位は上記除電装置３６で除電される。
【００２８】
図２に示すように、画像形成装置本体１のハウジング４は、金属製の本体フレーム５と、該本体フレーム５の前後左右の各側面に装着された板金カバー（図示省略）とを有している。本体フレーム５は、上下方向に間隔を空けて配置された下側矩形枠部５ａ及び上側矩形枠部５ｂと、上下方向に延びて該両枠状部５ａ，５ｂ同士を連結する４つの柱状部５ｃ（図では画像形成装置本体１の右側端部に位置する２つの柱状部５ｃのみを示す）とを有している。上側矩形枠部５ｂは、前後方向に互いに間隔を空けて平行に並ぶ前側辺部５ｄ及び後側辺部５ｅと、左右方向に互いに間隔を空けて平行に並ぶ左側辺部５ｆ及び右側辺部５ｇとを有している。後側辺部５ｅには、後述する筒部９が固定金具４１（図７参照）を介して固定されている。尚、図２では固定金具４１を省略して描いている。
【００２９】
図１に戻って、上記画像読取装置２は、スキャナ筐体１０、コンタクトガラス１１、読取ユニット１２、ミラー１３，１４、光学レンズ１５，及びＣＣＤセンサー１６を備えている。
【００３０】
スキャナ筐体１０は、平面視が矩形状をなす箱状体で構成されていて、上記本体フレーム５（図２参照）の上側矩形枠部５ｂの上面にボルト等で固定されている。上記コンタクトガラス１１は、上記スキャナ筐体１０の上面に装着されていて、上記複合機Ｘの画像読取対象となる原稿Ｐが載置される原稿台を形成している。
【００３１】
上記読取ユニット１２は、画像読取時には、ＬＥＤ光源１２１よりコンタクトガラス１１上の原稿Ｐに向けて光を照射しながら副走査方向（図１の左右方向）に移動すると共に、原稿Ｐからの反射光をミラー１２２により水平方向に反射する。上記ミラー１３，１４は、ミラー１２２からの反射光をＣＣＤセンサー１６へと導く。ＣＣＤセンサー１６は、受光した光を光電変換して原稿画像の画像データを生成する。生成された画像データは、不図示のデータ記憶部に記憶される。そうして、上記画像読取装置２は、上記コンタクトガラス１１上に載置された上記原稿Ｐの画像（原稿画像）を光学的に読取ってその画像データを生成する。尚、ＣＣＤセンサー１６を廃止して読取ユニット１２にＣＩＳセンサーを搭載するようにしてもよい。
【００３２】
上記スキャナ筐体１０の上面は、原稿押さえ部材としての原稿カバー２０により開閉可能に覆われている。本実施形態では、原稿カバー２０は原稿自動送り装置２５（いわゆるＡＤＦ）と一体化されている。原稿自動送り装置２５は、原稿給紙トレイ２６と、原稿給紙トレイ２６の下側に設けられた原稿排紙トレイ２７と、該原稿給紙トレイ２６から原稿排紙トレイ２７に至るＵ字状の原稿搬送路２８とを有している。原稿自動送り装置２５は、原稿給紙トレイ２６上の原稿を、原稿搬送路２８に沿って配置された複数の搬送ローラー対２９によって一枚ずつ下流側に送り出して、コンタクトガラス１１上に設定された原稿読取り位置１１ａを通過させた後、原稿排紙トレイ２７に排出する。ＣＣＤセンサー１６では、原稿読取り位置１１ａを通過する原稿の画像を読み取ってその画像データを生成する。
【００３３】
上記原稿カバー２０の後端部には、左右方向に間隔を空けて並ぶ一対のヒンジ機構５０が取付けられている。両ヒンジ機構５０の構成は同様であるため、以下では右側のヒンジ機構５０についてのみ説明を行う。図３及び図４に示すように、ヒンジ機構５０は、上下方向に延びる脚部５１と、脚部５１の上端部に固定された静止部５２と、該静止部５２に対してヒンジ軸５４を介して回動可能に連結された回動部５３とを有している。
【００３４】
脚部５１及び静止部５２は、共通の一つの金属板を折り曲げて形成されている。脚部５１は、後側に開放する断面コ字状に形成されている。
【００３５】
静止部５２は、左右方向に間隔を空けて並ぶ一対の側壁部５２ａを有している。一対の側壁部５２ａの上端部には上記ヒンジ軸５４が両端支持されている。一対の側壁部５２ａの上下方向の中間部には、後述のリテーナ６６に当接する当接軸５５が両端支持されている。
【００３６】
回動部５３は、脚部５１及び静止部５２とは別の金属板を折り曲げて形成されている。回動部５３は、左右方向に間隔を空けて並ぶ一対の側壁部５３ａを有している。一対の側壁部５３ａは上壁部５３ｋを介して連結されている。一対の側壁部５３ａの基端部はヒンジ軸５４に対して回動可能に支持されている。上壁部５３ｋの先端部は一対の側壁部５３ａの内側に向かって略直角に折り曲げられて前壁部５３ｂを形成している。図３及び図４を参照して、回動部５３は、静止部５２を上方から覆うように且つ回動部５３の両側壁部５３ａが静止部５２の両側壁部５２ａを両側から覆うように配置され、それぞれの側壁部５３ａ及び側壁部５２ａ同士がヒンジ軸５４を介して連結されることにより、回動部５３は、静止部５２に対してヒンジ軸５４を介して回動可能に連結されている。左右方向から見て回動部５３が脚部５１に対して直交する状態（図３の状態）では、回動部５３の前壁部５３ｂと静止部５２の当接軸５５との間には所定の間隔が形成されている。回動部５３の前壁部５３ｂと当接軸５５との間には、原稿カバー２０に対し開方向の付勢力を付与することで該原稿カバー２０の開放角度を任意の角度に保持する保持機構６０が設けられている。保持機構６０は、圧縮コイルバネ６５及び略カップ状のリテーナ６６を含んでいる。圧縮コイルバネ６５の一端部は前壁部５３ｂの位置決め突起５３ｃに外挿され、圧縮コイルバネ６５の他端部はリテーナ６６内に収容されている。リテーナ６６は、回動部５３の内側の矩形状空間内に収容されている。リテーナ６６の後端面には傾斜面６６ａが形成されている。傾斜面６６ａは、左右方向から見て、下側に向かって前側に傾斜している。
【００３７】
図３及び図５を参照して、原稿カバー２０が開閉される際のヒンジ機構５０及び保持機構６０の動作について説明する。図３に示されるように、原稿カバー２０が閉位置に位置づけられた状態では、回動部５３は脚部５１に対して直交して配置されている。この状態では、圧縮コイルバネ６５が回動部５３を静止部５２に対してヒンジ軸５４回りに閉方向に付勢している。原稿カバー２０がユーザーの手によって開方向（図３の時計回り方向）に回動されて所定の中立位置を超えると、圧縮コイルバネ６５の付勢力が原稿カバー２０の自重による閉方向の回転モーメントに打ち勝つか又はバランスするので、原稿カバー２０が任意の開放角度に保持される（図５参照）。尚、図５では、脚部５１が鉛直方向に延びて示されているが、実際には後述するように脚部５１は鉛直方向に対して傾いている（図７参照）。原稿カバー２０が、任意の開放角度に保持された状態から閉方向（図５の反時計回り方向）に回動されて上記所定の中立位置を下方に超えると、原稿カバー２０が圧縮コイルバネ６５によってヒンジ軸５４回りに閉方向に付勢される。この結果、原稿カバー２０は図３に示す閉位置に位置付けられる。
【００３８】
上記脚部５１は、本体フレーム５の後側辺部５ｅに立設された筒部９（図２，図６及び図７参照）に上方から挿入されていて、該筒部９内を上下方向にスライド（移動）可能になっている。したがって、ユーザーは原稿カバー２０を手で持ち上げて上下にスライドさせることができる。これにより、原稿の厚みの大小に対応可能になっている。
【００３９】
図７に示すように、上記筒部９は、固定金具４１を介して本体フレーム５に固定されている。具体的には、筒部９は、上下方向に延びる矩形筒状の筒部本体９ａを有している。筒部本体９ａは、矩形断面の一部を開放させた開断面状の第１部材９１ａと第２部材９１ｂとを組み合わせて閉断面状に構成されている。筒部本体９ａの下端部からは固定座部９ｂが左右両側に突出している。固定座部９ｂは、固定金具４１の水平板部４２にボルト７０で固定されている。
【００４０】
固定金具４１は、上記水平板部４２と、該水平板部４２の前後方向の両端縁から下方に延びる矩形板状の一対の鉛直板部４３と、各鉛直板部４３の下端部から前側に突出する固定板部４４とを有している。固定板部４４は、本体フレーム５の後側辺部５ｅの上面に不図示のボルトで固定されている。図中の符号４４ａは、このボルトを挿通するための挿通孔である。
【００４１】
固定金具４１の水平板部４２は、左右方向に長い矩形板状をなしている。水平板部４２の上面には一対の位置決め突起７１が突設されている。筒部９の固定座部９ｂにおける位置決め突起７１に対応する箇所にはピン孔９ｃが形成されており、筒部９（固定座部９ｂ）はピン孔９ｃと位置決め突起７１との嵌合により位置決めされている。
【００４２】
水平板部４２にはさらにスキャナ筐体１０の位置決めを行うための位置決め孔４２ａが形成されている。この位置決め孔４２ａは、水平板部４２における筒部９に隣接する位置（詳しくは筒部９の固定座部９ｂに隣接する位置）に形成されている。位置決め孔４２ａは、左右方向に長い長孔状に形成されている。この位置決め孔４２ａに、スキャナ筐体１０の下面に形成された突出ボス部１０ｈ（図８参照）が係合することで、スキャナ筐体１０の位置決め（特に前後方向の位置決め）がなされる。上記突出ボス部１０ｈは、略円筒状をなしていて、スキャナ筐体１０の下面における該一対の貫通孔１０ｆに隣接する箇所に突設されている。突出ボス部１０ｈの直径は、上記位置決め孔４２ａの前後方向の寸法と同じかそれよりも数μｍ〜数十μｍだけ小さく、上記位置決め孔４２ａの左右方向の寸法よりも数ｍｍ〜数十ｍｍだけ小さい。
【００４３】
上記一対の貫通孔１０ｆは、スキャナ筐体１０におけるコンタクトガラス１１よりも後側の端部に形成されている。一対の貫通孔１０ｆには、上記一対の筒部本体９ａが貫通するようになっている。上記一対の貫通孔１０ｆは左右方向に間隔を空けて形成されている。各貫通孔１０ｆは、上下方向に延びる矩形状孔からなる。各貫通孔１０ｆは、矩形筒状の貫通孔形成筒部１０ｇ（図２参照）により形成されている。各貫通孔形成筒部１０ｇは、スキャナ筐体１０の上壁部から下壁部まで鉛直に延びている。各貫通孔１０ｆの内側を貫通する筒部本体９ａは、貫通孔１０ｆの内側面に接触しないように形成されている（図９参照）。すなわち、貫通孔１０ｆの内側面と筒部本体９ａの外側面との間には隙間Ｓが設けられている。この隙間Ｓの幅は孔の全周に亘って一定とされている。
【００４４】
上記筒部本体９ａの内側面の左右方向の間隔は、脚部５１の左右方向の寸法と同等に設定されているのに対し、筒部本体９ａの内側面の前後方向の間隔は、脚部５１の前後方向の寸法よりも大きく設定されている。こうすることで、図１０に示すように、脚部５１が原稿カバー２０の自重により筒部本体９ａ内で前側に傾いて突っ張るので、原稿カバー２０の閉じ際の速度を極力弱めることができる。これにより、原稿カバー２０の閉じ際の衝撃音を抑えてユーザーの不快感を低減することができる。
【００４５】
ここで、従来の画像読取装置２では、例えばスキャナ筐体１０に一体形成された樹脂製の貫通孔形成筒部１０ｇ（貫通孔１０ｆ）に脚部５１を差し込むようにしている。このため、上述したように脚部５１を原稿カバー２０の自重により前側に傾ける構成を従来の画像読取装置２に適用するようにした場合、脚部５１から貫通孔形成筒部１０ｇに作用する荷重により貫通孔形成筒部１０ｇが破損したり変形したりする虞がある。
【００４６】
これに対して、本実施形態では、脚部５１が挿入される筒部本体９ａが固定金具４１を介して画像形成装置本体１の本体フレーム５に固定されているので、筒部本体９ａの剛性を格段に高めることができる。よって、脚部５１が筒部本体９ａ内で突っ張った際に、筒部本体９ａが脚部５１からの荷重により破損したり変形したりするのを防止することができる。
【００４７】
また、上記筒部本体９ａの外側面と該筒部本体９ａが貫通する貫通孔１０ｆの内側面とは非接触状態にある。したがって、脚部５１からの荷重により筒部本体９ａが変形したとして、筒部本体９ａが貫通孔１０ｆの内側面に接触するほど変形しない限り、脚部５１からの荷重が貫通孔１０ｆの内側面に伝わることもない。よって、脚部５１からの荷重によりスキャナ筐体１０が変形したり破損したりするのを防止することができる。
【００４８】
また、上記実施形態では、スキャナ筐体１０の下面に形成された突出ボス部１０ｈを、本体フレーム５の上面の固定金具４１に形成された位置決め孔４２ａに係合させることでスキャナ筐体１０の位置決めを行うようにしている。ここで、突出ボス部１０ｈは、スキャナ筐体１０の下面における貫通孔１０ｆに隣接する部分に形成されているので、スキャナ筐体１０に形成された貫通孔１０ｆの位置精度を可及的に高めることができる。したがって、筒部本体９ａの外側面と貫通孔１０ｆの内側面との間の隙間Ｓを精度良く管理することができる。よって、筒部本体９ａが脚部５１からの荷重により変形した際に筒部本体９ａの外側面が貫通孔１０ｆの内側面に接触するのを防止することができる。
【００４９】
また、上記実施形態では、上記位置決め孔４２ａを、本体フレーム５に比べて薄肉で剛性の低い固定金具４１に形成されている。したがって、位置決め孔４２ａを精度良く安価に形成することができる。
【００５０】
また、上記実施形態の構成によれば、画像形成装置本体１の組立て工程において本体フレーム５の上側にスキャナ筐体１０をセットする作業を容易に行うことができる。すなわち、この作業では、作業者がスキャナ筐体１０の貫通孔１０ｆの位置を筒部本体９ａの位置に合わせた後、スキャナ筐体１０を本体フレーム５の上側にセットするが（図２参照）、このとき、筒部本体９ａが貫通孔１０ｆ内を貫通することによりスキャナ筐体１０の大まかな位置合わせを行うことができる。よって、作業者はスキャナ筐体１０の大まかな位置合わせを行った後に、スキャナ筐体１０の下面の突出ボス部１０ｈを固定金具４１に形成された位置決め孔４２ａに係合させればよいので、スキャナ筐体１０の位置決め作業を容易に行うことができる。
【００５１】
また、上記実施形態では、筒部９を金属材料で構成するようにしているので、筒部９を樹脂材で構成した場合に比べて筒部９の剛性を可及的に高めることができる。よって、上述した筒部９の破損及び変形をより一層確実に防止することができる。
【００５２】
《他の実施形態》
本発明は、上記実施形態について、以下のような構成としてもよい。上記実施形態では、各貫通孔１０ｆの内側面と筒部本体９ａの外側面との間に一定幅の隙間Ｓが設けられているが、この隙間Ｓは必ずしも一定である必要はない。すなわち、筒部本体９ａの前後の壁部と貫通孔１０ｆの内側面との間に形成される隙間Ｓ１とし、左右の壁部と貫通孔１０ｆの内側面との間に形成される隙間Ｓ２としたとき、Ｓ１をＳ２よりも大きくとるようにしてもよい。筒部本体９ａの前後の壁部は脚部５１からの荷重を直接受けて特に変形し易いので、このように隙間Ｓ１を極力大きくとることで筒部本体９ａが貫通孔１０ｆの内側面に接触するのを確実に防止することができる。また隙間Ｓ２が不必要に大きくなってこの隙間Ｓ２からスキャナ筐体１０の上面に向かって異物が侵入するのを防止することができる。
【００５３】
上記実施形態において、上記固定座部９ｂの上面に、上記画像形成装置本体側より発生する振動を吸収する吸振パッドを取付けるようにしてもよい。これによれば、画像形成装置本体側より固定座部９ｂを介して筒部本体９ａに伝わる振動を、該固定座部９ｂに取付けられた吸振パッドによって吸収することができる。
【００５４】
上記実施形態では、画像形成装置の一例として複合機Ｘについて説明したが、画像形成装置は複合機Ｘに限らず、例えば複合機やプリンター等であってもよい。
【００５５】
上記実施形態では、筒部９を金属材料で構成するようにしているが、これに限ったものではなく、筒部９は樹脂材で構成されていてもよい。
【００５６】
上記実施形態では、本体フレーム５に筒部９を直接固定するのではなく固定金具４１を介して固定しているが、これに限ったものではない。すなわち、固定金具４１を廃止して筒部９を本体フレーム５に直接固定するようにしてもよい。
【００５７】
また、上記実施形態では、原稿カバー２０が原稿自動送り装置２５と一体化されているが、原稿自動送り装置２５は必ずしも必要ではない。
【産業上の利用可能性】
【００５８】
以上説明したように、本発明は、画像読取装置及び該画像読取装置を備えた画像形成装置について有用である。
【符号の説明】
【００５９】
X      複合機（画像形成装置）
１     画像形成装置本体
２     画像読取装置
３     画像形成部
５     本体フレーム
９     筒部
９ａ   筒部本体
９ｂ   固定座部
１０   スキャナ筐体
１０ｆ 貫通孔
１０ｈ 突出ボス部
１１   コンタクトガラス
２０   原稿カバー（原稿押さえ部材）
４１   固定金具
４２ａ 位置決め孔
５０   ヒンジ機構
５１   脚部
５２   静止部
５３   回動部
５４   ヒンジ軸
５５   当接軸
６０   保持機構
【図１】
0006455682.tif 000002
【図２】
0006455682.tif 000003
【図３】
0006455682.tif 000004
【図４】
0006455682.tif 000005
【図５】
0006455682.tif 000006
【図６】
0006455682.tif 000007
【図７】
0006455682.tif 000008
【図８】
0006455682.tif 000009
【図９】
0006455682.tif 000010
【図１０】
0006455682.tif 000011